(57)【特許請求の範囲】
【請求項１】
穿刺針の取り付け部を先端部に備えるシリンジと、該シリンジの後端部から該シリンジの内部に挿着されるガスケットと、該ガスケットに連結自在であって該ガスケットの押圧操作を行なうプランジャーロッドとを備える注射具において、前記プランジャーロッドは、可撓性を有する材料によって筒状に形成され、該プランジャーロッドを拡縮自在とすべく該プランジャーロッドの全長にわたって設けられたスリットと、該プランジャーロッドの一端縁の外周に径方向に突出する突起とを備えて、前記スリットを介して該プランジャーロッドを拡径させたときその内部に前記シリンジが挿着自在とされ、
前記ガスケットは、前記スリットを介して該プランジャーロッドを縮径させたとき、該プランジャーロッドの前記突起に係合して該プランジャーロッドを連結する連結部を備えることを特徴とする注射具。
【請求項２】
前記プランジャーロッドは、光の透過量を制限すべく着色されていることを特徴とする請求項１記載の注射具。
【請求項３】
前記プランジャーロッドは、前記シリンジより長い寸法に形成されていることを特徴とする請求項１又は２記載の注射具。
【請求項４】
前記突起は、前記プランジャーロッドの径方向に対向して少なくとも一対設けられていることを特徴とする請求項１乃至３の何れか１項記載の注射具。
【請求項５】
前記プランジャーロッドは、前記突起が形成された一端部の反対側に位置する他端部に、前記シリンジの後端外周に形成された鍔状の指掛け部に沿って外方に鍔状に張り出す押圧片を備え、
該押圧片は、前記シリンジを該プランジャーロッドの内部に挿着したとき、前記指掛け部に対応して該指掛け部の外周縁を覆うフランジを備えることを特徴とする請求項１乃至４の何れか１項記載の注射具。
【発明の詳細な説明】
【０００１】
【発明の属する技術分野】
本発明は、医療用の注射具に関する。
【０００２】
【従来の技術】
従来、特開平７−３１３５９７号公報に見られるように、シリンジ内部に薬液が充填され、前記ガスケットによって閉塞された薬液容器兼用の注射具が知られている。この種の注射具は、使用に先立つ準備作業時に、シリンジを閉塞しているガスケットにプランジャーロッドを連結すると共に、シリンジの先端に穿刺針を取り付ける。
【０００３】
しかし、使用に先立ってガスケットにプランジャーロッドを連結しておくと、外部からの不用意な接触等によってプランジャーロッドが押圧され、シリンジ内部の薬液量が減少するおそれがある。そして、プランジャーロッドの不用意な押圧を回避するために、プランジャーロッドをガスケットから外しておいた場合には、互いに別体の状態にあるシリンジとプランジャーロッドとを同時に管理することが煩わしいだけでなく、プランジャーロッドが紛失するおそれがある。
【０００４】
また、この種の薬液容器兼用の注射具においては、シリンジ内部に薬液が充填された状態で保管されるために、外部からの光によってシリンジ内部の薬液が変質するおそれがある。そこで、所定色の着色料をシリンジの材料に混入してシリンジを形成することにより、シリンジ内部への光の透過量を制限することが考えられる。しかし、シリンジが着色されていると、操作時におけるシリンジ内部の薬液量や気泡の確認が困難となり操作性が低下するだけでなく、シリンジに収納した薬液と着色料との接触により薬液が変質するおそれがある。
【０００５】
更に、この種の薬液容器兼用の注射具においては、シリンジの先端に形成された穿刺針の取り付け部が比較的高精度に形成されており、該取り付け部に破損や変形が生じた場合には穿刺針を取り付けることができずに使用不能となり、シリンジ内部の高価な薬液が無駄になるといった不都合がある。
【０００６】
【発明が解決しようとする課題】
かかる不都合を解消して、本発明は、ガスケットから外した状態でのプランジャーロッドの管理を容易とし、また、シリンジ内部の薬液の変質や穿刺針の取り付け部の損傷及び汚染を防止して、しかも操作性の高い注射具を提供することを目的とする。
【０００７】
【課題を解決するための手段】
かかる目的を達成するために、本発明は、穿刺針の取り付け部を先端部に備えるシリンジと、該シリンジの後端部から該シリンジの内部に挿着されるガスケットと、該ガスケットに連結自在であって該ガスケットの押圧操作を行なうプランジャーロッドとを備える注射具において、前記プランジャーロッドは、可撓性を有する材料によって筒状に形成され、該プランジャーロッドを拡縮自在とすべく該プランジャーロッドの全長にわたって設けられたスリットと、該プランジャーロッドの一端縁の外周に径方向に突出する突起とを備えて、前記スリットを介して該プランジャーロッドを拡径させたときその内部に前記シリンジが挿着自在とされ、前記ガスケットは、前記スリットを介して該プランジャーロッドを縮径させたとき、該プランジャーロッドの前記突起に係合して該プランジャーロッドを連結する連結部を備えることを特徴とする。
【０００８】
本発明の注射具によれば、前記プランジャーロッドが筒状に形成されており、その全長にわたってスリットが形成されている。これによって、該プランジャーロッドはスリットを介して拡径自在とされ、前記ガスケットから取り外された状態のプランジャーロッドの内部にシリンジを挿入することができる。即ち、プランジャーロッドをシリンジの外壁に沿って包囲するように一体的に取り付けておくことができる。従って、注射具の保管時にプランジャーロッドをガスケットに連結させておかなくても、プランジャーロッドの紛失を防止することができ、保管時の管理を容易とすることができる。
【０００９】
また、本発明において、前記プランジャーロッドは、光の透過量を制限すべく着色されていることが好ましい。これによって、例えば、シリンジ内に薬液が充填された状態で保管する際に、前記プランジャーロッドの内部に前記シリンジを挿着して該シリンジの外周にプランジャーロッドを取り付けた状態としておけば、外部からの光の透過が該プランジャーロッドにより制限され、シリンジ内の薬液の変質を防止することができる。しかも、このように該プランジャーロッドを着色しておくことによって、薬液の変質を防止するためにシリンジを着色しておく必要がなく、使用時に該プランジャーロッドをシリンジから取り外して前記ガスケットに連結させたときには、シリンジ内部の薬液量や気泡を容易に確認することができる。
【００１０】
また、本発明において、前記プランジャーロッドは、前記シリンジより長い寸法に形成されていることが好ましい。これにより、前記プランジャーロッドの内部に前記シリンジを挿着して該シリンジの外周にプランジャーロッドを取り付けた状態としたとき、該シリンジの先端部に形成されている穿刺針の取り付け部をプランジャーロッドの内部に収納することができる。これにより、プランジャーロッドに内包された穿刺針の取り付け部への外部からの接触を防止することができ、該取り付け部の破損や変形、及び汚染を防止することができる。
【００１１】
また、本発明において、前記突起は、前記プランジャーロッドの径方向に対向して少なくとも一対設けられていることが好ましい。前記プランジャーロッドの内部に前記シリンジを挿着して該シリンジの外周にプランジャーロッドを取り付けたとき、一対の突起により横倒姿勢で載置されたシリンジの不用意な転動を防止することができる。
【００１２】
また、本発明において、前記プランジャーロッドは、前記突起が形成された一端部の反対側に位置する他端部に、前記シリンジの後端外周に形成された鍔状の指掛け部に沿って外方に鍔状に張り出す押圧片を備え、該押圧片は、前記シリンジを該プランジャーロッドの内部に挿着したとき、前記指掛け部に対応して該指掛け部の外周縁を覆うフランジを備えることを特徴とする。
【００１３】
一般に、シリンジには後端外周に指掛け部が形成されているが、該指掛け部は鍔状に張り出しているために他部に接触し易く、不用意な衝撃を受けて損傷することがある。そこで、本発明においては、前記押圧片に指掛け部の外周縁を覆うフランジを設けたことにより、指掛け部が他部に接触することを防止し、衝撃を緩和して指掛け部の損傷を防止することができる。
【００１４】
【発明の実施の形態】
本発明の一実施形態を図面に基づいて説明する。図１は本実施形態の注射具の分解状態の説明的断面図、図２はガスケットとプランジャーロッドとの連結状態を示す説明的断面図、図３はシリンジの外側にプランジャーロッドを装着した状態を示す説明図、図４はプランジャーロッドの一部の他の態様を示す説明図である。
【００１５】
本実施形態の注射具１は、その基本的構成として、図１に示すように、薬液が内部に充填された薬液容器兼用のシリンジ２と、該シリンジ２の内部に挿着されたガスケット３に連結自在のプランジャーロッド４と、該シリンジ２に取り付けられる穿刺針５とを備えている。
【００１６】
前記シリンジ２は、硬質ガラスや合成樹脂によって形成されており、その先端部には前記穿刺針５を取り付けるルアーテーパ部６（取り付け部）が形成されている。該ルアーテーパ部６にはゴム製の密封部材７が設けられており、該密封部材７によりシリンジ２の先端側が閉塞されている。該シリンジ２の後端側は前記ガスケット３によって閉塞され、これによって該シリンジ２の内部には薬液ｘが密封されている。
【００１７】
前記穿刺針５は、中空の針管８と前記シリンジ２のルアーテーパ部６に嵌合自在の針基９とを備え、該針管８の一端部が人体等に穿刺される穿刺部１０とされ他端部が密封部材７を刺通する刺通部１１とされている。これによって、穿刺針５の針基９をシリンジ２のルアーテーパ部６に嵌合させたとき、穿刺針５の刺通部１１が密封部材７に刺通されてシリンジ２内が針管８と連通する。
【００１８】
前記ガスケット３はシリンジ２内を摺動可能に挿着されており、該ガスケット３には、シリンジ２の解放された後端側からプランジャーロッド４が着脱自在に連結される。穿刺針５を人体等に穿刺し、該プランジャーロッド４を介してガスケット３を押し込むことによりシリンジ２内の薬液を注射することが可能となる。
【００１９】
前記プランジャーロッド４は、図１に示すように、可撓性を有する合成樹脂（本実施形態においてはポリプロピレン）によって筒状に形成されており、その全長にわたってスリット１２が形成されている。該スリット１２は、後述するように、プランジャーロッド４を拡径自在とするものである。また、該プランジャーロッド４には、一端部（ガスケット３に連結される側）に外周に沿ってその径方向に突出する一対の突起１３と、他端部（手指等で押圧する側）の外周に沿って鍔状に張り出す押圧片１４とが形成されている。該プランジャーロッド４は、図２に示すように、前記ガスケット３に形成された螺子孔部１５に突起１３を螺着することにより該ガスケット３に連結される。
【００２０】
該プランジャーロッド４がガスケット３から取り外した状態にあるとき、前記スリット１２を引き開いてその全長にわたって拡径させ、図３に示すように、シリンジ２の外側に装着しておくことができるようになっている。即ち、ガスケット３から取り外された状態のプランジャーロッド４の軸線方向にシリンジ２を挿入することにより、該プランジャーロッド４はスリット１２の間隔が広げられて拡径された状態でシリンジ２の外側に装着される。これにより、該プランジャーロッド４をシリンジ２と一体的に管理することができ、ガスケット３から取り外した状態のプランジャーロッド４を紛失することが防止できる。しかも、プランジャーロッド４に形成されている一対の突起１３によりシリンジ２の転動が防止され、シリンジ２の取り扱いを容易とすることができる。また、該プランジャーロッド４をシリンジ２よりも長い寸法に形成しておくことにより、図３に示すように、前記ルアーテーパ部６をプランジャーロッド４の一端部に内包することができ、該ルアーテーパ部６への不用意な接触による該ルアーテーパ部６の損傷や汚染を防止することができる。
【００２１】
更に、着色された樹脂材料を用いてプランジャーロッド４を形成することにより、該プランジャーロッド４の内側への光の透過量を制限することができ、図３に示すように、プランジャーロッド４をシリンジ２に取り付けておくことにより、シリンジ２内部の薬液の光による変質を防止することができる。
【００２２】
なお、本実施形態においては、薬液容器兼用のシリンジ２を備える注射具１を示したが、本発明におけるプランジャーロッド４は、薬液容器兼用でないシリンジ（図示せず）であっても、該シリンジの外側に装着して同様の効果が得られることは言うまでもない。
【００２３】
また、本発明においては、図４に示すように、シリンジ２の後端外周に形成された鍔状の指掛け部１６を、プランジャーロッド４の前記押圧片１４によって覆うように構成してもよい。即ち、前記押圧片１４に、指掛け部１６に対応して該指掛け部１６の外周縁を覆うフランジ１７を設ける。こうすることによって、指掛け部１６が他部に接触することを防止し、衝撃を緩和して指掛け部１６の損傷を防止することができる。
【図面の簡単な説明】
【図１】本発明の一実施形態の注射具を分解して示す説明的断面図。
【図２】ガスケットとプランジャーロッドとの連結状態を示す説明的断面図。
【図３】シリンジの外側にプランジャーロッドを装着した状態を示す説明的斜視図。
【図４】プランジャーロッドの一部の他の態様を示す説明図。
【符号の説明】
１…注射具、２…シリンジ、３…ガスケット、４…プランジャーロッド、５…穿刺針、６…ルアーテーパ部（取り付け部）、１２…スリット、１３…突起、１４…押圧片、１５…螺子孔部（連結部）、１６…指掛け部、１７…フランジ。
【図１】
0003558613.tif 000002
【図２】
0003558613.tif 000003
【図３】
0003558613.tif 000004
【図４】
0003558613.tif 000005